(57)【要約】【課題】  消費電力の低減されたデータ送信装置を提供することを目的とする。【解決手段】  通信ケーブルを介して接続された電子機器にデータを送信するデータ送信装置において、上記電子機器に送信するデータ送信量を知得するデータ送信量知得部２１０と、データ送信量知得部２１０により知得されたデータ送信量のうち相対的に少ないデータ送信量に対し、互いに送信速度が異なる複数の送信モードのうち、相対的に送信速度が低い送信モードを選択する送信モード選択部２２０と、送信モード選択部２２０により選択された送信モードで上記電子機器にデータを送信する送信部２３０とを備えた。【選択図】  図３
2005065137.tif 000002
【特許請求の範囲】
【請求項１】
通信ケーブルを介して接続された電子機器にデータを送信するデータ送信装置において、
前記電子機器に送信するデータ送信量を知得するデータ送信量知得部と、
前記データ送信量知得部により知得されたデータ送信量のうち相対的に少ないデータ送信量に対し、互いに送信速度が異なる複数の送信モードのうち、相対的に送信速度が低い送信モードを選択する送信モード選択部と、
前記送信モード選択部により選択された送信モードで前記電子機器にデータを送信する送信部とを備えたことを特徴とするデータ送信装置。
【請求項２】
このデータ送信装置が、被写体を撮影して撮像画像を表す画像データを得る電子カメラであり、
前記送信部が、前記画像データを送信するものであり、
前記データ送信量知得部が、撮影時に設定される、画像データの圧縮率と画像の解像度とに基づいてデータ送信量を知得するものであることを特徴とする請求項１記載のデータ送信装置。
【請求項３】
このデータ送信装置に供給される電源の種別を検知する電源種別検知部を備え、
前記送信モード選択部が、前記電源種別検知部により検知された電源の種別が相対的に供給能力が高い種別である場合は、データ送信量の多少にかかわらず、前記複数の送信モードのうちの相対的に送信速度が高い送信モードを選択するものであることを特徴とする請求項１記載のデータ送信装置。
【発明の詳細な説明】
【技術分野】
【０００１】
本発明は、データ送信装置に関し、特に、電子カメラなどの小型の電子機器における、通信ケーブルを介して接続された、パーソナルコンピュータなどの電子機器にデータを送信するデータ送信装置に関する。
【背景技術】
【０００２】
従来、通信ケーブルを介して接続された電子機器にデータを送信するデータ送信装置の分野において、消費電力の低いデータ送信装置の開発が盛んに進められている。
【０００３】
従来、データ通信装置として、使用する通信速度を取得し、通信速度が高速の時にはデータ処理ＣＰＵ（Ｃｅｎｔｒａｌ  Ｐｒｏｃｅｓｓｉｎｇ  Ｕｎｉｔ）の動作クロックの周波数を高くし、通信速度が低速の時にはデータ処理ＣＰＵの動作クロックの周波数を低くすることにより、低消費電力化を図ったデータ通信装置の例が紹介されている。（例えば、特許文献１参照）。
【０００４】
また、例えば、次のようなデータ通信装置が提案されている。このデータ通信装置は、高速通信モードと低速通信モードとを有し、２つの通信モードに対応するため、高周波数のクロックを生成するクロック生成回路と低周波数のクロックを生成するクロック生成回路とを備えている。高周波数のクロックを生成する回路の消費電力が大きく、低速通信モードでのデータ転送時にはそのような大電力は無駄となるので、このデータ通信装置では、通信ケーブルにより送信先と接続された状態で送信先との通信プロトコルを検出し、検出された通信プロトコルが低速通信モードの時には高周波数のクロック生成回路を低周波数のクロック生成回路に切り替えることにより消費電力の低減を図っている（特許文献２参照）。
【特許文献１】特開平７−３２１８７４号公報（第２〜３頁、第１図）
【特許文献２】特開２００２−１４１９１１号公報（第３頁、第１図）
【発明の開示】
【発明が解決しようとする課題】
【０００５】
しかし、これらの従来技術では、送信元から送信先に高速でデータを送信する必要がない場合でも、大量に電力を消費する高速送信モードでデータ送信する場合がしばしば生じるため電力を無駄に消費することが多いという問題がある。
【０００６】
本発明は、上記事情に鑑み、消費電力の低減されたデータ送信装置を提供することを目的とする。
【課題を解決するための手段】
【０００７】
上記目的を達成する本発明のデータ送信装置は、
通信ケーブルを介して接続された電子機器にデータを送信するデータ送信装置において、
上記電子機器に送信するデータ送信量を知得するデータ送信量知得部と、
上記データ送信量知得部により知得されたデータ送信量のうち相対的に少ないデータ送信量に対し、互いに送信速度が異なる複数の送信モードのうち、相対的に送信速度が低い送信モードを選択する送信モード選択部と、
上記送信モード選択部により選択された送信モードで上記電子機器にデータを送信する送信部とを備えことを特徴とする。
【０００８】
本発明のデータ送信装置によれば、データ送信量が相対的に少ない場合は送信時間に余裕があるので、相対的に送信速度が低い送信モードで他の電子機器にデータを送信することにより、消費電力の低減が図られている。
【０００９】
ここで、このデータ送信装置が、被写体を撮影して撮像画像を表す画像データを得る電子カメラであり、
上記送信部が、上記画像データを送信するものであり、
上記データ送信量知得部が、撮影時に設定される、画像データの圧縮率と画像の解像度とに基づいてデータ送信量を知得するものであることが好ましい。
【００１０】
本発明のデータ送信装置をこのように構成した場合は、画像データの圧縮率と画像の解像度とに基づいた送信モードで他の電子機器にデータを送信することができるので、画像データの圧縮率と画像の解像度とに応じて、大きい画像データは早く、小さい画像データはゆっくり送信される。従って、小さい画像データを送信するときは消費電力を低減してバッテリなどを長持ちさせることができる。
【００１１】
また、このデータ送信装置に供給される電源の種別を検知する電源種別検知部を備え、
上記送信モード選択部が、上記電源種別検知部により検知された電源の種別が相対的に供給能力が高い種別である場合は、データ送信量の多少にかかわらず、上記複数の送信モードのうちの相対的に送信速度が高い送信モードを選択するものであることも好ましい態様の１つである。
【００１２】
本発明のデータ送信装置をこのように構成した場合は、このデータ送信装置に供給される電源の種別に応じた送信モード、例えば、電源種別がＡＣアダプタの場合は、節電する必要はないので送信速度が高い送信モードでデータを送信することができるが、電源種別がバッテリの場合は、節電と送信時間のバランスで送信モードを選択することができる
【発明の効果】
【００１３】
以上、説明したように、本発明のデータ送信装置によれば、データ送信量が相対的に少ない場合は、相対的に送信速度が低い送信モードで他の電子機器にデータを送信するので、消費電力の低減されたデータ送信装置を実現することができる。
【発明を実施するための最良の形態】
【００１４】
以下、本発明の実施形態について説明する。
【００１５】
ここでは、本発明のデータ送信装置を、ＣＣＤ（Ｃｈａｒｇｅ  Ｃｏｕｐｌｅｄ  Ｄｅｖｉｃｅ：電荷結合素子）上に被写体の像を結像させて画像データを得、その画像データを通信ケーブルを介して接続された電子機器に送信する電子カメラに適用した実施形態について説明する。
【００１６】
図１は、本発明の一実施形態の電子カメラを前面斜め上から見た外観斜視図である。ここでは、先ず図１〜図２を参照して、電子カメラの一般的な構成について説明する。尚、本実施形態の電子カメラにおける本発明としての特徴は、後述する“データ送信量知得部”、“送信モード選択部”、“送信部”、および“電源種別検知部”にあるが、これらの各部については後で詳細に説明する。
【００１７】
図１に示す電子カメラ１００は、図示しないＣＣＤ上に画像データを形成する電子カメラである。
【００１８】
この電子カメラ１００の前面には、撮影レンズ１０１ａを内部に備えたレンズ鏡胴１０１が備えられている。撮影レンズ１０１ａから入射した被写体光を、内部に配置されたＣＣＤ（図示せず）の撮影面上に結像させることにより、被写体を表す画像データが生成される。生成された画像データは、カメラ１００の内部に配備されたデータ記憶部（後述）に記憶された後、上記“送信部”により、通信ケーブルを介して接続された、例えば、パーソナルコンピュータなどの他の電子機器に送信される。
【００１９】
また、この電子カメラ１００の前面には、レンズ鏡胴１０１の左斜め上にフラッシュ調光窓１０２、フラッシュ調光窓１０２の左隣にフラッシュ発光窓１０３、フラッシュ発光窓１０３の下にセルフタイマＬＥＤ（Ｌｉｇｈｔ  Ｅｍｉｔｔｉｎｇ  Ｄｉｏｄｅ：発光ダイオード）１１５、およびレンズ鏡胴１０１の右斜め上に光学式ファインダ対物窓１０４ａが備えられている。
【００２０】
また、この電子カメラ１００の上面の右端には、シャッタレリーズボタン１０５が備えられている。
【００２１】
さらに、この電子カメラ１００の左側面の下方には、上から順に、写真撮影によって生成され、データ記憶部（後述）に記憶された画像データをパーソナルコンピュータなどの他の電子機器に送信する際に使用されるＵＳＢ（Ｕｎｉｖｅｒｓａｌ  Ｓｅｒｉａｌ  Ｂｕｓ）ケーブルが接続されるＵＳＢコネクタ１０６、および電子カメラ１００に外部電源を供給する際に使用される電源ケーブルが接続されるＡＣアダプタ接続端子１０７が備えられている。
【００２２】
ＵＳＢは、パーソナルコンピュータと、キーボード、マウス、モデム、電子カメラなどの周辺機器とを結ぶデータ伝送路の規格のひとつであり、当初、あまり大容量のデータを扱わない場合の規格としてＵＳＢ１．１という規格が制定された。しかし、ＵＳＢ１．１は最高でも１２Ｍｂｐｓ（Ｍｅｇａ  ｂｉｔｓ  ｐｅｒ  ｓｅｃｏｎｎｄ）という低い送信速度しか得られないため、高速送信の需要を満たすべく、最近、ＵＳＢ１．１の後継規格として、最高４８０Ｍｂｐｓの送信速度を有するＵＳＢ２．０が策定され、急速に普及しつつある。
【００２３】
図２は、図１に示す電子カメラを背面斜め上から見た外観斜視図である。
【００２４】
この電子カメラ１００の背面には、光学式ファインダ接眼窓１０４ｂ、画像や日時を表示するＬＣＤ（Ｌｉｑｕｉｄ  Ｃｒｙｓｔａｌ  Ｄｉｓｐｌａｙ：液晶ディスプレイ）パネル１０８、ＬＣＤパネル１０８による画像表示をオン／オフするためのＬＣＤパネル起動ボタン１０９、ズーミングその他の操作用の十字キー１１０、撮影に関する各種モードを選択する際に使用される撮影モードダイヤル１１２、写真撮影を行う撮影機能と、写真撮影されて記録された画像データを再生する画像データ再生機能とのうちのいずれかの機能を選択する際に使用される機能選択レバー１１３、機能選択レバー１１３の軸上に設けられたメインスイッチ１１４、内部に画像データ記憶用の記憶媒体を収納する記憶媒体収納部１１６、および、内部にバッテリを収納するバッテリ収納部１１７が備えられている。
【００２５】
この電子カメラ１００では、画像データ記憶用の記憶媒体として、メモリカードや超小型ハードディスク装置などを用いることができるようになっている。
【００２６】
また、この電子カメラ１００の電源としては、内部電源と外部電源の双方が使用可能である。内部電源としては、バッテリ収納部１１７（図２参照）の内部に収納されるバッテリが用いられ、外部電源としては、ＡＣアダプタ接続端子１０７（図１参照）に接続される電源ケーブルを介してＡＣアダプタからの直流電源が用いられる。
【００２７】
図３は、本発明のデータ送信装置の第１の実施形態および本発明の電子カメラの一実施形態の概略構成図である。
【００２８】
図３に示すように、この電子カメラ１００兼データ送信装置２００は、被写体を撮影して撮像画像を表す画像データを得、その画像データを通信ケーブルを介して接続された電子機器に送信するものであって、データ送信量知得部２１０と、送信モード選択部２２０と、送信部２３０とを備えている。
【００２９】
データ送信量知得部２１０は、通信ケーブルを介して接続された電子機器に画像データを送信するものであり、送信モード選択部２２０は、データ送信量知得部２１０により知得されたデータ送信量のうち相対的に少ないデータ送信量に対し、送信速度の高い高速送信モードおよび送信速度の低い低速送信モードのうち、低速送信モードの方を選択するものであり、送信部２３０は、送信モード選択部２２０により選択された送信モードで前記電子機器に画像データを送信するものである。
【００３０】
この実施形態では、データ送信量知得部２１０は、撮影時に設定される、画像データの圧縮率と画像の解像度とに基づいてデータ送信量を知得するように構成されている。
【００３１】
図４は、本発明のデータ送信装置の第１の実施形態および本発明の電子カメラの一実施形態を示すブロック図である。
【００３２】
図４に示すように、この電子カメラ１００兼データ送信装置２００は、コントローラ１、ＣＰＵ９、データ送信量知得モジュール１４、データ圧縮率設定部１５、画像解像度設定部１６、データ送信量通知手段１７、およびＵＳＢコネクタ１０６を備えている。さらに、この電子カメラ１００およびデータ送信装置２００は、被写体の写真を撮影し画像データを生成する撮影部３００、および撮影部３００で生成された画像データを記憶するデータ記憶部４００を備えている。
【００３３】
撮影部３００は、被写体の画像データを生成するために必要な電子カメラの主要部であり、ここには画像データの圧縮率を設定するデータ圧縮率設定部１５および画像データの圧縮率を設定する画像解像度設定部１６が含まれている。
【００３４】
画像データの圧縮率は、撮影時のこの装置の操作者による操作に応じて、データ圧縮率設定部１５により設定されるようになっている。この電子カメラ１００およびデータ送信装置２００では、画像データの圧縮率はＪＰＥＧ（ＪＯＩＮＴ  ＰＨＯＴＯＧＲＡＰＨＩＣ  ＥＸＰＥＲＴＳ  ＧＲＯＵＰ：ＩＳＯにより設置された専門家組織により制定された静止画像データ圧縮方式の一つ）に基づく、Ｆｉｎｅ（高圧縮率）、Ｎｏｒｍａｌ（中圧縮率）、およびＢａｓｉｃ（低圧縮率）の３種類の圧縮率のなかから選択される。
【００３５】
画像の解像度は、撮影時のこの装置の操作者による操作に応じて、画像解像度設定部１６により設定されるようになっている。この電子カメラ１００およびデータ送信装置２００では、画像の解像度は６００万画素、３００万画素、およびＶＧＡ（パーソナルコンピュータ用グラフィックシステムの解像度の一種。６４０×４８０ドット・１６色の表示が可能）の３種類の解像度のなかから選択される。
【００３６】
データ記憶部４００には、記憶媒体収納部１１６（図２参照）が設けられており、記憶媒体収納部１１６内のコネクタ（図示せず）に接続された記憶媒体（メモリーカードまたは超小型ハードディスク装置）に、撮影部３００で生成された画像データが記憶される。
【００３７】
コントローラ１には、接続検知モジュール２、ＵＳＢ２．０モジュール３、ＵＳＢ１．１モジュール４、接続状態通知手段６、ＵＳＢモジュール切替手段７、データ伝送手段８が備えられている。
【００３８】
接続検知モジュール２は、このデータ送信装置２００に、他の電子機器にデータを送信するためのＵＳＢケーブル１１８が接続されているか否かを検知するものである。
【００３９】
ＵＳＢケーブル１１８は、本発明にいう通信ケーブルの一例に相当するものであり、ＵＳＢ２．０モジュール３およびＵＳＢ１．１モジュール４は、本発明にいう送信部の一例に相当するものであり、撮影部３００で生成され、データ記憶部４００に記憶された画像データを、ＵＳＢコネクタ１０６およびＵＳＢケーブル１１８を介して他の電子機器に送信する。
【００４０】
接続状態通知手段６は、接続検知モジュール２により検知された、ＵＳＢコネクタ１０６へのＵＳＢケーブル１１８の接続検知の結果を受けて、ＵＳＢケーブルの接続状態をＣＰＵ９に通知する。
【００４１】
データ送信量知得モジュール１４は、本発明にいうデータ送信量知得部の一例に相当するものであり、データ圧縮率設定部１５および画像解像度設定部１６から送られてきた圧縮率と画像の解像度の情報に基づいて、この電子カメラから他の電子機器に送信する画像データの送信量を知得する。
【００４２】
ＣＰＵ９は、本発明にいう送信モード選択部の一例に相当するものであり、データ送信量知得部により知得されたデータ送信量のうち相対的に少ないデータ送信量に対し、送信モード選択部（ＣＰＵ９）は、前述の高速送信モードおよび低速送信モードのうちの低速送信モードの方を選択するように構成されている。例えば、画像データの圧縮率がＢａｓｉｃ（低圧縮率）で、かつ画像の解像度がＶＧＡである場合はＵＳＢ１．１モジュール４による低速送信モードが選択される。
【００４３】
ＵＳＢモジュール切替手段７は、送信モード選択部（ＣＰＵ９）により選択された送信モードに応じてＵＳＢ２．０モジュール３とＵＳＢ１．１モジュール４とを切替えて動作させる。
【００４４】
データ伝送手段８は、ＵＳＢコネクタ１０６からＵＳＢ２．０モジュール３又はＵＳＢ１．１モジュール４を経由してＣＰＵ９に至るデータ伝送を担う。
【００４５】
次に、本実施形態のデータ送信装置および電子カメラの動作について説明する。
【００４６】
図５は、第１の実施形態のデータ送信装置および電子カメラの動作を示すフローチャートである。
【００４７】
データ送信装置および電子カメラに備えられた接続検知モジュール２（図４参照）は、ＵＳＢコネクタ１０６へのＵＳＢケーブルの接続の有無を絶えず検知しており（ステップＳ１）、ＵＳＢコネクタ１０６にＵＳＢケーブル１１８（図４参照）が接続されたことが検知されると、接続検知モジュール２はＵＳＢケーブルが接続されたことを接続状態通知手段６を介してＣＰＵ９に通知し、ステップＳ２に進む。
【００４８】
ステップＳ２では、データ送信量知得モジュール１４（図４参照）によりデータ送信量が知得される。すなわち、操作者による操作に応じて、データ圧縮率設定部１５および画像解像度設定部１６により圧縮率および解像度が設定され、データ送信量知得モジュール１４は、設定された圧縮率と解像度とに基づいてデータ送信量を知得する。知得されたデータ送信量はデータ送信量通知手段１７により送信モード選択部（ＣＰＵ９）に通知される。送信モード選択部（ＣＰＵ９）は、データ送信量知得モジュール１４により知得されたデータ送信量が相対的に少ない場合は、ＵＳＢ１．１モードによる低速送信モードを選択してＵＳＢ１．１モジュール４による送信動作を有効にし（ステップＳ３）、ステップＳ５に進む。データ送信量知得モジュール１４により知得されたデータ送信量が相対的に多い場合は、ステップＳ４に進み、ＵＳＢ２．０モードによる高速送信モードを選択してＵＳＢ２．０モジュール３による送信動作を有効にし、ステップＳ５に進む。
【００４９】
ステップＳ５では、データ伝送手段８による送信確立の後、上記送信モード選択部により選択された送信モードに対応するＵＳＢモジュールにより、ＵＳＢケーブル１１８を介してホストコンピュータに画像データを送信する。
【００５０】
前述のように、ＵＳＢ２．０は最高４８０Ｍｂｐｓの送信速度を有しているので大量のデータを送信するのに適しているが、ＵＳＢ２．０モジュール３で送信を行う場合は、最高１２Ｍｂｐｓの送信速度であるＵＳＢ１．１モジュール４で送信を行う場合に比べて消費電力が大きい。そこで、本実施形態の電子カメラおよびデータ送信装置では、データ送信量知得モジュール１４により知得されたデータ送信量のうち相対的に少ないデータ送信量に対し、ＵＳＢ２．０モジュール３による高速送信モードおよびＵＳＢ１．１モジュール４による低速送信モードのうち、ＵＳＢ１．１モジュール４による低速送信モードが選択され、ＵＳＢ１．１モードでデータ送信を行うように構成されている。
【００５１】
このように、データ送信量のうち相対的に少ないデータ送信量に対し、低消費電力のＵＳＢ１．１モジュール４を用いてデータ送信を行うことにより、データ送信装置および電子カメラの消費電力を低減することができる。
【００５２】
次に、本発明の他の実施形態について説明する。
【００５３】
図６は、本発明のデータ送信装置の第２の実施形態の概略構成図である。
【００５４】
図６に示すように、このデータ送信装置２００’は、被写体を撮影して撮像画像を表す画像データを得、その画像データを通信ケーブルを介して接続された電子機器に送信する電子カメラであって、データ送信量知得部２１０と、送信モード選択部２２０と、送信部２３０と、電源種別検知部２４０とを備えており、図１および図２に示した電子カメラ１００としての機能をも有している。
【００５５】
このデータ送信装置２００’におけるデータ送信量知得２１０、送信モード選択部２２０、および送信部２３０は、図３に示す第１の実施形態のデータ送信装置２００と同様のものであるので説明は省略し、本実施形態に特有な電源種別検知部２４０についてのみ説明する。
【００５６】
この電源種別検知部２４０は、このデータ送信装置２００’に供給される電源の種別を検知するものであり、送信モード選択部２２０が、電源種別検知部２４０により検知された電源の種別が相対的に供給能力が高い種別である場合は、データ送信量の多少にかかわらず、上記複数の送信モードのうちの相対的に送信速度が高い送信モードを選択するように構成されている。
【００５７】
図７は、本発明のデータ送信装置の第２の実施形態を示すブロック図である。
【００５８】
図７に示すように、このデータ送信装置２００’は、コントローラ１、ＣＰＵ９、電源種別検知モジュール１０、バッテリ接続端子１１、ＡＣアダプタ接続端子１０７、データ送信量知得モジュール１４、データ圧縮率設定部１５、画像解像度設定部１６、データ送信量通知手段１７、およびＵＳＢコネクタ１０６を備えている。そして、このデータ送信装置２００’は、被写体の写真を撮影し画像データを生成する撮影部３００、および撮影部３００で生成された画像データを記憶するデータ記憶部４００を備えている。
【００５９】
このデータ送信装置２００’は、電源種別検知モジュール１０を設けた点が図４に示す第１の実施形態のデータ送信装置２００と異なっているので、以下には、この第２の実施形態のデータ送信装置２００’に特有な部分についてのみ説明する。
【００６０】
電源種別検知モジュール１０、バッテリ接続端子１１、およびＡＣアダプタ接続端子１０７は、本発明にいう電源種別検知部の一例に相当し、この電子カメラ１００に供給される電源の種別を検知する。すなわち、バッテリ接続端子１１にバッテリが接続されているか、あるいはＡＣアダプタ接続端子１０７にＡＣアダプタが接続されているかにより、電子カメラ１００に供給される電源の種別を判断する。
【００６１】
この第２の実施形態のデータ送信装置２００’においても、第１の実施形態のデータ送信装置２００におけると同様、送信モードとして、送信速度の高い高速送信モードと送信速度の低い低速送信モードの２つの送信モードを有しており、データ送信量知得部により知得されたデータ送信量のうち相対的に少ないデータ送信量に対し、送信モード選択部（ＣＰＵ９）は、上記２つの送信モードのうち、相対的に送信速度が低いＵＳＢ１．１モードを選択するようになっている。
【００６２】
さらに、第２の実施形態のデータ送信装置２００’（図４参照）には、電源種別検知モジュール１０、バッテリ接続端子１１、およびＡＣアダプタ接続端子１０７が設けられており、バッテリ接続端子１１およびＡＣアダプタ接続端子１０７に接続されている電源の種別が判断され、判断の結果は、電源種別通知手段１３によりＣＰＵ９に通知される。送信モード選択部（ＣＰＵ９）は、電源種別検知検知モジュール１０により検知された電源の種別がＡＣアダプタである場合は、データ送信量の多少にかかわらず、上記２つの送信モードのうちの相対的に送信速度が高いＵＳＢ２．０モードを選択する。
【００６３】
通常、電子カメラで写真を撮影する時の電源としては、バッテリ収納部１１７（図２参照）内に収納されたバッテリが用いられるが、撮影終了後に、パーソナルコンピュータなどの他の電子機器に画像データを送信する時の電源としては、ＡＣアダプタが用いられる。これは、バッテリは、ＡＣ電源コードが不要で携帯性に優れているものの、電源供給能力が相対的に低いという短所があり、一方、ＡＣアダプタは携帯は不可能であるが電源供給能力が相対的に高いという長所があるためである。
【００６４】
そこで、第２の実施形態のデータ送信装置２００’では、電源種別検知モジュール１０により検知された電源の種別がＡＣアダプタである場合には、送信モード選択部（ＣＰＵ９）は、データ送信量の多少にかかわらず、上記２つの送信モードのうちの高速送信モードを選択し、それに基づき、送信速度の高いＵＳＢ２．０モジュール３による高速データ送信を行うように構成されている。
【００６５】
前述のように、ＵＳＢ２．０は最高４８０Ｍｂｐｓの送信速度を有しているので大量のデータを送信するのに適しているが、ＵＳＢ２．０モジュール３で送信を行う場合は、ＵＳＢ１．１モジュール４で送信を行う場合に比べて消費電力が大きい。
【００６６】
そこで、本発明のデータ送信装置２００’では、電源供給能力が高いＡＣアダプタが電源として用いられている場合は、データ送信量の多少にかかわらず送信速度の高いＵＳＢ２．０でデータ送信を行うが、電源供給能力が低いバッテリが電源として用いられている場合は、データ送信量知得モジュール１４により知得された画像データの圧縮率と画像の解像度とに基づいて、この電子カメラから他の電子機器に送信する画像データの送信量を知得し、そのデータ送信量に応じた送信モードを選択するように構成されている。
【００６７】
図８は、本発明の第２の実施形態のデータ送信装置の動作を示すフローチャートである。
【００６８】
第２の実施形態のデータ送信装置２００’に備えられた接続検知モジュール２（図７参照）は、ＵＳＢコネクタ１０６へのＵＳＢケーブルの接続の有無を絶えず検知しており（ステップＳ１１）、ＵＳＢコネクタ１０６にＵＳＢケーブル１１８（図７参照）が接続されたことが検知されると、接続検知モジュール２はＵＳＢケーブルが接続されたことを接続状態通知手段６を介してＣＰＵ９に通知し、ステップＳ１２に進む。
【００６９】
ステップＳ１２では、電源種別検知モジュール１０（図７参照）により電源の種別が検知される。電源種別検知モジュール１０により検知された電源の種別がバッテリである場合は、ステップＳ１３に進み、電源種別検知モジュール１０により検知された電源の種別がＡＣアダプタである場合は、ステップＳ１５に進む。
【００７０】
ステップＳ１３では、データ送信量知得モジュール１４（図７参照）によりデータ送信量が知得される。すなわち、操作者による操作に応じて、データ圧縮率設定部１５および画像解像度設定部１６により圧縮率および解像度が設定され、データ送信量知得モジュール１４は、設定された圧縮率と解像度とに基づいてデータ送信量を知得する。知得されたデータ送信量はデータ送信量通知手段１７により送信モード選択部（ＣＰＵ９）に通知される。送信モード選択部（ＣＰＵ９）は、データ送信量知得モジュール１４により知得されたデータ送信量が相対的に少ない場合は、ＵＳＢ１．１モードによる低速送信モードを選択してＵＳＢ１．１モジュール４による送信動作を有効にし（ステップＳ１４）、ステップＳ１６に進む。
【００７１】
一方、データ送信量知得モジュール１４により知得されたデータ送信量が相対的に多い場合は、ステップＳ１５に進み、ＵＳＢ２．０モードによる高速送信モードを選択してＵＳＢ２．０モジュール３による送信動作を有効にし、ステップＳ１６に進む。
【００７２】
ステップＳ１６では、データ伝送手段８による送信確立の後、送信モード選択部により選択された送信モードに対応するＵＳＢモジュールにより、ＵＳＢケーブル１１８を介してホストコンピュータなどの他の電子機器に画像データを送信する。
【００７３】
このように、本実施形態のデータ送信装置２００’は、ＡＣアダプタによる電源供給が行われている場合は、常に高速なＵＳＢ２．０モジュール３を用いてデータ送信を行い、ＡＣアダプタが接続されておらず、バッテリによる電源供給が行われている場合は、他の電子機器に送信するデータ量に基づき、低消費電力のＵＳＢ１．１モジュール４を用いるか、または高消費電力のＵＳＢ２．０モジュール３を用いるかを選択するようになっているので、供給される電源の種別と、他の電子機器に送信すべきデータ送信量とに応じた適切な送信モードでデータ送信を行うことができる。
【００７４】
なお、本実施形態では、通信ケーブルとして、ＵＳＢケーブルを用い、送信モードとして、ＵＳＢ１．１モジュールおよびＵＳＢ２．０モジュールによる送信モードを採用した場合の例を挙げて説明したが、通信ケーブルおよび送信モードは、上記の実施形態の例に限られるものではなく、いずれの通信ケーブルを用いいずれの送信モードを採用した場合にも適用することができる。
【図面の簡単な説明】
【００７５】
【図１】本発明の一実施形態の電子カメラを前面斜め上から見た外観斜視図である。
【図２】図１に示す電子カメラを背面斜め上から見た外観斜視図である。
【図３】本発明のデータ送信装置の第１の実施形態および本発明の電子カメラの一実施形態の概略構成図である。
【図４】本発明のデータ送信装置の第１の実施形態および本発明の電子カメラの一実施形態を示すブロック図である。
【図５】第１の実施形態のデータ送信装置および電子カメラの動作を示すフローチャートである。
【図６】本発明のデータ送信装置の第２の実施形態の概略構成図である。
【図７】本発明のデータ送信装置の第２の実施形態を示すブロック図である。
【図８】本発明の第２の実施形態のデータ送信装置の動作を示すフローチャートである。
【符号の説明】
【００７６】
１    コントローラ
２    接続検知モジュール
３    ＵＳＢ２．０モジュール
４    ＵＳＢ１．１モジュール
６    接続状態通知手段
７    ＵＳＢモジュール切替手段
８    データ伝送手段
９    ＣＰＵ９
１０    電源種別検知モジュール
１１    バッテリ接続端子
１４    データ送信量知得モジュール
１５    データ圧縮率設定部
１６    画像解像度設定部
１７    データ送信量通知手段
１００    電子カメラ
１０１    レンズ鏡胴
１０１ａ    撮影レンズ
１０２    フラッシュ調光窓
１０３    フラッシュ発光窓
１０４ａ    光学式ファインダ対物窓
１０４ｂ    光学式ファインダ接眼窓
１０５    シャッタレリーズボタン
１０６    ＵＳＢコネクタ
１０７    ＡＣアダプタ接続端子
１０８    ＬＣＤパネル
１０９    ＬＣＤパネル起動ボタン
１１０    十字キー
１１２    撮影モードダイヤル
１１３    機能選択レバー
１１４    メインスイッチ
１１５    セルフタイマＬＥＤ
１１６    記憶媒体収納部
１１７    バッテリ収納部
１１８    ＵＳＢケーブル
２００，２００’    データ送信装置
２１０    データ送信量知得部
２２０    送信モード選択部
２３０    送信部
２４０    電源種別検知部
３００    撮影部
４００    データ記憶部
【図１】
2005065137.tif 000003
【図２】
2005065137.tif 000004
【図３】
2005065137.tif 000005
【図４】
2005065137.tif 000006
【図５】
2005065137.tif 000007
【図６】
2005065137.tif 000008
【図７】
2005065137.tif 000009
【図８】
2005065137.tif 000010